(57)【要約】【課題】  後列のフロート式スチームトラップの弁口を流下する復水の温度を充分に低下させて再蒸発を確実に防止する。【解決手段】  前列のフロート式スチームトラップ１の出口５と後列のフロート式スチームトラップ２の入口２４とを連結管３を介して直列に配列する。連結管３に、熱を遠赤外線に変換して放射する熱放射部材としてのセラミック３１を取り付ける。セラミック３１は、酸化ケイ素と酸化アルミニウムの化合物と水とを混合した液体状のものを、連結管３の外周に塗布して乾燥させ積層する。前列のフロート式スチームトラップ１の出口５から排出され連結管３を流下する復水は、その熱が連結管３を伝導してセラミック３１に吸熱され遠赤外線として大気中へ放射されるので充分に温度低下する。【選択図】      図１
2006052797.tif 000002
【特許請求の範囲】
【請求項１】
フロート式スチームトラップを複数台直列に配置して、前列のフロート式スチームトラップの出口を後列のフロート式スチームトラップの入口と接続したものにおいて、前列のフロート式スチームトラップの出口と後列のフロート式スチームトラップの入口との間に、前列のフロート式スチームトラップから排出される復水の有する熱を遠赤外線に変換して放射する熱放射部材を配置したことを特徴とするフロート式スチームトラップ。
【発明の詳細な説明】
【技術分野】
【０００１】
本発明は、気体と液体の比重差を利用して、弁室内に収容したフロートで直接にあるいは弁部材を駆動して弁口を開閉することにより、蒸気配管系に発生する復水を自動的に排出するフロート式スチームトラップにする。フロート式スチームトラップの基本構成は、弁ケーシングで入口と弁室と出口を形成し、弁室と出口を連通する弁口を弁室下部に形成し、弁室内に収容したフロートで直接にあるいは弁部材を駆動して弁口を開閉するものである。このフロート式スチームトラップにおいては、排出復水が弁口で再蒸発するために弁口を高速に流下し、弁口内壁にエロージョンを生じたり、流体中に溶解している金属イオンが弁口内壁に突き刺さって次第に堆積したりする問題点があった。
【背景技術】
【０００２】
この問題点を解決するために、従来は特開２００２−３７２１９０に開示の技術が用いられた。これは、フロート式スチームトラップを複数台直列に配置して、前列のフロート式スチームトラップの出口を後列のフロート式スチームトラップの入口と接続したものである。
【０００３】
上記従来のものは、前列のフロート式スチームトラップの弁口の圧力が後列のフロート式スチームトラップの内圧とほぼ同圧に保たれて急激な圧力低下を生じないので、前列のフロート式スチームトラップの弁口を流下する復水の再蒸発を低減でき、また、後列のフロート式スチームトラップの弁口には後列のフロート式スチームトラップからの放熱によって温度低下した復水が流下するので、後列のフロート式スチームトラップの弁口を流下する復水の再蒸発を低減できるものである。しかしながら、後列のフロート式スチームトラップからの放熱には限りがあるために、後列のフロート式スチームトラップの弁口を流下する復水の温度低下が不充分で改良の余地を残すものであった。
【特許文献１】特開２００２−３７２１９０
【発明の開示】
【発明が解決しようとする課題】
【０００４】
従って、本発明の技術的課題は、後列のフロート式スチームトラップの弁口を流下する復水の温度を充分に低下させて再蒸発を確実に防止できるフロート式スチームトラップを提供することである。
【課題を解決するための手段】
【０００５】
上記の技術的課題を解決するために講じた本発明の技術的手段は、フロート式スチームトラップを複数台直列に配置して、前列のフロート式スチームトラップの出口を後列のフロート式スチームトラップの入口と接続したものにおいて、前列のフロート式スチームトラップの出口と後列のフロート式スチームトラップの入口との間に、前列のフロート式スチームトラップから排出される復水の有する熱を遠赤外線に変換して放射する熱放射部材を配置したことを特徴とするフロート式スチームトラップにある。
【０００６】
熱を遠赤外線に変換して放射する熱放射部材としては、例えばセラミックや高分子材料等を使用することができる。セラミックとしては、コージライト、遷移元素酸化物系セラミック、アルミナ、ジルコニア、チタニア、あるいは、酸化ケイ素と酸化アルミニウムの化合物等既知のものを使用することができるが、熱から遠赤外線への変換効率の高いものが適する。
【発明の効果】
【０００７】
本発明によれば、前列のフロート式スチームトラップの出口と後列のフロート式スチームトラップの入口との間に熱放射部材を配置することにより、後列のフロート式スチームトラップの弁口を流下する復水の再蒸発を確実に防止でき、弁口内壁のエロージョンや金属イオンの堆積を防止できるという優れた効果を生じる。
【発明を実施するための最良の形態】
【０００８】
本発明は、前列のフロート式スチームトラップの出口と後列のフロート式スチームトラップの入口との間に、前列のフロート式スチームトラップから排出される復水の有する熱を遠赤外線に変換して放射する熱放射部材を配置したものである。そのため、前列のフロート式スチームトラップから排出される復水の有する熱が熱放射部材により遠赤外線に変換されて大気中へ放射されることにより冷却され、後列のフロート式スチームトラップには充分に温度低下した復水が流下する。そのため、後列のフロート式スチームトラップの弁口を流下する復水の再蒸発を確実に防止できる。
【実施例１】
【０００９】
上記の技術的手段の具体例を示す実施例を説明する（図１参照）。前列のフロート式スチームトラップ１と後列のフロート式スチームトラップ２とを連結管３を介して直列に配列する。前列のフロート式スチームトラップ１は、入口４と出口５を有する本体６に蓋部材７を締結して内部に弁室を形成し、弁室内に収容したフロートで弁室と出口５を連通する弁口を開閉するものである。本体６は、配管接続用の入口フランジ８を有する。
【００１０】
後列のフロート式スチームトラップ２は、入口２４と出口２５を有する本体２６に蓋部材２７を締結して内部に弁室を形成し、弁室内に収容したフロートで弁室と出口２５を連通する弁口を開閉するものである。本体２６は、配管接続用の出口フランジ２９を有する。
【００１１】
前列のフロート式スチームトラップ１の出口５と後列のフロート式スチームトラップ２の入口２４を連結する連結管３に、熱を遠赤外線に変換して放射する熱放射部材としてのセラミック３１を取り付ける。セラミック３１は、酸化ケイ素と酸化アルミニウムの化合物と水とを混合した液体状のものを、連結管３の外周に塗布して乾燥させ積層した膜状のもので、連結管３のほぼ全長に渡って配置する。セラミック３１の膜厚や配置長さは、前列のフロート式スチームトラップ１から排出される復水の温度に応じて適宜調節することができる。
【００１２】
次に本実施例のフロート式スチームトラップの作動を説明する。復水と蒸気が前列のフロート式スチームトラップ１の入口４から弁室に流入し、復水が下部に蒸気が上部に分離して溜まる。フロートは液面が上がると浮力が大きくなるので、浮上して弁口を開き、弁室内の復水を弁口から出口５へ排出する。復水の排出によって弁室内の液面が下がると、それと共にフロートが降下して弁口を閉じる。出口５へ排出された復水は連結管３を通して後列のフロート式スチームトラップ２の入口２４から弁室に流入し、復水が下部に蒸気が上部に分離して溜まる。フロートは液面が上がると浮力が大きくなるので、浮上して弁口を開き、弁室内の復水を弁口から出口２５へ排出する。復水の排出によって弁室内の液面が下がると、それと共にフロートが降下して弁口を閉じる。
【００１３】
前列のフロート式スチームトラップ１の弁口は後列のフロート式スチームトラップ２の内圧とほぼ同圧であり急激な圧力低下を生じないので、前列のフロート式スチームトラップ１の弁口を流下する復水の再蒸発を低減できる。また、前列のフロート式スチームトラップ１の出口５から排出され連結管３を流下する復水は、その熱が連結管３を伝導してセラミック３１に吸熱され遠赤外線として大気中へ放射され充分に温度低下した後、後列のフロート式スチームトラップ２の入口２４から弁室に流入するので、後列のフロート式スチームトラップ２の弁口を流下する復水の再蒸発を低減できる。
【００１４】
本実施例においては、セラミック３１が液体状で連結管３の外周に塗布する例を示したが、合成樹脂や金属から成る多孔質体に粒子状のセラミックを混入させて薄板状として、連結管３に接触して取り付けることもできる。
【図面の簡単な説明】
【００１５】
【図１】本発明の実施例のフロート式スチームトラップの断面図である。
【符号の説明】
【００１６】
１  前列のフロート式スチームトラップ
２  後列のフロート式スチームトラップ
３  連結管
４，２４  入口
５，２５  出口
６，２６  本体
７，２７  蓋部材
３１  セラミック
【図１】
2006052797.tif 000003